(57)【特許請求の範囲】
【請求項１】
携帯型デジタルマルチメータを、その表示部、操作部及びテストリードが設けられた正面側が外界から視認及び操作可能に表出するように収納可能であり、収納した該デジタルマルチメータの該正面側及び天方向が開口した開口部を有するケース本体と、該デジタルマルチメータの該天方向の該ケース本体に一端部が繋がっていて該開口部を開閉可能な蓋部とを有する測定器用収納ケースであって、
可曲性を有する該蓋部の他端部には、該開口部を開口した開蓋状態の該蓋部を鉄製部材に吸着したときに該デジタルマルチメータを収納した該測定器用収納ケースの全重量を吊下支持可能な磁力の磁石が付されており、
該ケース本体の背面板には、該開蓋状態の該蓋部を長手方向に伸びる細長い支持体に巻きつけて該背面板側に折り返したときに該他端部の該磁石が吸着し、該デジタルマルチメータを収納した該ケース本体を吊下支持できるように磁性部材が付されていることを特徴とする測定器用収納ケース。
【請求項２】
前記ケース本体の背面板には、前記磁石の位置を変えて吸着可能に、複数の前記磁性部材が異なる位置に付され、及び／又は前記磁石よりも大きな前記磁性部材が付されていることを特徴とする請求項１に記載の測定器用収納ケース。
【請求項３】
前記ケース本体が、前記測定器と共にその付属品を共に収納可能であることを特徴とする請求項１又は２に記載の測定器用収納ケース。
【発明の詳細な説明】
【技術分野】
【０００１】
本発明は、携帯型の測定器を収納して開蓋すると測定が可能な測定器用収納ケースに関するものである。
【背景技術】
【０００２】
測定器には、例えば携帯型デジタルマルチメータや携帯型絶縁抵抗計などのような、測定現場まで簡便に持ち運びすることができる携帯型の測定器がある。このような測定器を収納する測定器用収納ケース（以下、収納ケースともいう）として、例えば特許文献１に携帯用ケースが開示されている。この収納ケースは、測定器本体やテストリード等の付属品を収納して携帯することが可能なものであり、開蓋すると収納ケース内の測定器を使用することができるものである。
【０００３】
測定を行う場合には、収納ケースを開蓋させて作業机などの台上に置いて測定を行う。一方、作業机などの適当な台が無い場合には、測定者は収納ケースごと、又は収納ケースから出して、測定器を手に持って測定する必要がある。ところが、測定器を手に持って測定作業を行うと、片手が測定器で塞がれてしまい、作業性が悪い。特に複数のテストリードを手に持つ必要がある場合には、測定が困難になる。又、収納ケースから出して測定器を持つ場合には、収納ケースが無い分だけ測定器を持ちやすいが、測定作業の前後で収納ケースに測定器を出し入れする作業が煩雑であると共に、測定作業中に空の収容ケースの置き場所にも困る。
【先行技術文献】
【特許文献】
【０００４】
【特許文献１】実開平１−７２１１８号公報
【発明の概要】
【発明が解決しようとする課題】
【０００５】
本発明は前記の課題を解決するためになされたもので、測定器を置く適当な台が無い場所でも、作業者が測定器を手に持たずに、収納ケース内に収納したまま測定を行うことができる測定器用収納ケースを提供することを目的とする。
【課題を解決するための手段】
【０００６】
前記の目的を達成するためになされた、特許請求の範囲の請求項１に記載された測定器用収納ケースは、携帯型デジタルマルチメータを、その表示部、操作部及びテストリードが設けられた正面側が外界から視認及び操作可能に表出するように収納可能であり、収納した該デジタルマルチメータの該正面側及び天方向が開口した開口部を有するケース本体と、該デジタルマルチメータの該天方向の該ケース本体に一端部が繋がっていて該開口部を開閉可能な蓋部とを有する測定器用収納ケースであって、可曲性を有する該蓋部の他端部には、該開口部を開口した開蓋状態の該蓋部を鉄製部材に吸着したときに該デジタルマルチメータを収納した該測定器用収納ケースの全重量を支持可能な磁力の磁石が付されており、該ケース本体の背面板には、該開蓋状態の該蓋部を長手方向に伸びる細長い支持体に巻きつけて該背面板側に折り返したときに該他端部の該磁石が吸着し、該デジタルマルチメータを収納した該ケース本体を吊下支持できるように磁性部材が付されていることを特徴とする。
【０００７】
請求項２に記載された測定器用収納ケースは、請求項１に記載されたもので、前記ケース本体の背面板には、前記磁石の位置を変えて吸着可能に、複数の前記磁性部材が異なる位置に付され、及び／又は前記磁石よりも大きな前記磁性部材が付されていることを特徴とする。
【０００８】
請求項３に記載された測定器用収納ケースは、請求項１又は２に記載されたもので、前記ケース本体が、前記測定器と共にその付属品を共に収納可能であることを特徴とする。
【発明の効果】
【０００９】
本発明の測定器用収納ケースによれば、蓋部の一端部がケース本体に繋がっていて、蓋部の他端部に磁石が付されていることにより、測定現場にある鉄製の柱や壁に、開蓋状態の他端部の磁石を吸着させることで、測定器用収納ケースを吊下支持することができる。又、開蓋状態の蓋部の他端部をケース本体の磁性部材に吸着させて、蓋部とケース本体とで形成される環状内に支持体を通すことによって、測定器用収納ケースを吊下支持することができる。このため、測定器を置く適当な台が無い場所でも、作業者が測定器を手に持たずに、収納ケース内の測定器で測定を行うことができる。
【００１０】
ケース本体に、複数の磁性部材が異なる位置に付され、及び／又は磁石よりも大きな磁性部材が付されている場合には、支持体が太くても細くてもその太さに応じた位置に、蓋部の磁石をケース本体の磁性部材に吸着させることができるので、ケース本体を支持体で簡便に吊下支持することができる。
【００１１】
ケース本体が、測定器と共にその付属品を共に収納可能である場合、付属品を有する測定器の携帯や測定に便利である。
【図面の簡単な説明】
【００１２】
【図１】本発明を適用する測定器用収納ケースの閉蓋状態の正面側斜視図である。
【図２】本発明を適用する測定器用収納ケースの使用状態を示す開蓋状態の正面側斜視図である。
【図３】本発明を適用する測定器用収納ケースの閉蓋状態の背面側斜視図である。
【図４】本発明を適用する測定器用収納ケースの別の使用状態を示す開蓋状態の正面側斜視図である。
【図５】本発明を適用する他の測定器用収納ケースを示すの閉蓋状態の背面側斜視図である。
【発明を実施するための形態】
【００１３】
以下、本発明の実施形態を詳細に説明するが、本発明の範囲はこれらの実施形態に限定されるものではない。
【００１４】
図１〜４に示す測定器用収納ケース１（以下、収納ケース１ともいう）は、ケース本体２、及びその蓋部３を備え、測定器を収納して携帯することができ、収容ケース１内に測定器を収納したまま蓋部３を開蓋して測定が可能なものである。図１，３に蓋部３が閉蓋状態の収容ケース１を示し、図２，４に蓋部３が開蓋状態の収容ケース１を示す。
【００１５】
図１に示すように、閉蓋状態の収容ケース１は、全体として箱体状になっており、一例として、ケース本体２の開口部６を開閉可能に、ケース本体２と蓋部３とに架け渡して、スライドファスナー４が付されている。スライドファスナー４が２つのスライダー４ａ，４ａを有していると、蓋部３の開閉が行いやすいので好ましい。又、ケース本体２には、携帯時に持ち手となるストラップ７を付してもよい。
【００１６】
図２に示すように、ケース本体２は、携帯型の測定器の一例である携帯型のデジタルマルチメータ５１を、付属品の一例であるテストリード５２，５２と共に収納可能に形成されたものである。テストリード５２は、デジタルマルチメータ５１にコネクタで着脱可能になっている。ケース本体２は、デジタルマルチメータ５１にテストリード５２を装着したまま収納可能な容量（大きさ）で形成してもよく、テストリード５２を外して共に収納可能な大きさで形成してもよい。
【００１７】
ケース本体２は、内部に収容したデジタルマルチメータ５１で測定可能に開口させた開口部６を有している。具体的には、ケース本体２の開口部６は、測定を行うために必要なデジタルマルチメータ５１の表示部５３や操作部５４が外界から視認及び操作可能に表出すると共に、テストリード５２が外界に引き出せるように、デジタルマルチメータ５１の正面側（ケース本体２の正面側）、及びデジタルマルチメータ５１の天方向側（ケース本体２の天面側）で開口している。また、開口部６は、デジタルマルチメータ５１をケース本体２から出し入れできる大きさで形成されている。
【００１８】
ケース本体２の内部には、デジタルマルチメータ５１の位置を固定すると共に、デジタルマルチメータ５１と付属品との収納領域を区分けする仕切板１０が付されていてもよい。又、図示しないが、ケース本体２の内部には、必要に応じてデジタルマルチメータ５１の位置を固定して開口部６からの脱落を防ぐためのベルト等の固定具が付されていてもよいし、デジタルマルチメータ５１を衝撃から保護するためのクッション材が付されていてもよい。
【００１９】
蓋部３は、樹脂製の布材などの丈夫で柔軟性（可曲性の一例）を有する素材で、開口部６を施蓋できる大きさで形成されている。蓋部３の一端部３ａは、図２に示すように、ケース本体２の背面板１１のデジタルマルチメータ５１の天方向側（図の上部側）に繋がっている。
【００２０】
蓋部３の他端部３ｂには、その内部に、磁石の一例として、ネオジム磁石、サマリウムコバルト磁石、アルニコ磁石、又はフェライト磁石などの永久磁石５が付されている。永久磁石５は、鉄板に吸着したときに、デジタルマルチメータ５１等を収納した収納ケース１の全重量を支持可能な磁力を有するものである。永久磁石５は、１つの長板状のものでも、複数の方形板状や丸板状の永久磁石を並べたものであってもよい。なお、永久磁石５に換えて、磁場発生性能を維持できる期間が比較的短期の磁石を用いてもよい。また、電力が必要になるが、電磁石を用いてもよい。
【００２１】
図３に示すように、ケース本体２の背面板１１には、開口部６と逆方向に折り返した開蓋状態の蓋部３の永久磁石５が吸着可能な位置に、永久磁石に吸着可能な磁性部材である鉄板９ａ，９ｂ，９ｃ（特に区別しないときには単に鉄板９ともいう）が等間隔で付されている。鉄板９の位置は、永久磁石５を吸着させたときに、蓋部３がケース本体２に密着せずに弛みができるようにする。鉄板９ａ〜９ｃは、永久磁石５とほぼ同程度か多少大きな面形状で形成されている。鉄板９を、例えば鉄等の磁性材料を分散させた樹脂板やゴムシートなどの磁性部材に換えてもよい。又、鉄板９を、磁性を帯びた磁性部材である永久磁石に換えてもよい。
【００２２】
この収納ケース１の使用方法について説明する。
【００２３】
収納ケース１内のデジタルマルチメータ５１を使用するときには、図１の閉蓋状態から図２に示すようにスライダー４ａ，４ａをスライドさせて、蓋部３を開蓋させる。その蓋部３の永久磁石５を、図２に示すように、測定現場にある鉄製部材７１に吸着させると、収納ケース１が吊下支持される。この吊下状態でデジタルマルチメータ５１は正立している。
【００２４】
したがって、測定者は、デジタルマルチメータ５１（収納ケース１）を置く適当な台が無い場所であっても、デジタルマルチメータ５１を手に持つことなく、テストリード５２，５２だけを持って測定作業を行うことができる。
【００２５】
又、図４に示すように、測定現場にある梁や手すり、ロープ、枝などの長手方向が略水平方向に伸びている支持体７２で収納ケース１を吊下支持することもできる。具体的には、同図中に二点鎖線で示す開状態の蓋部３を、支持体７２を巻くように開口部６の逆側に折り返して、他端部３ｂの永久磁石５を、ケース本体２の鉄板９ａ，９ｂ，９ｃのいずれかに吸着させる。これにより、蓋部３とケース本体２とで形成される環状内に支持体７２が通り、支持体７２で収容ケース１が吊下支持される。
【００２６】
このとき、蓋部３は柔軟性を有しているので、支持体７２を巻きやすく、永久磁石５を鉄板９に吸着させやすい。さらに、視認し難いケース本体２の背面側に他端部３ｂを近づけていくと、永久磁石５を鉄板９に正確に位置合わせしなくても、他端部３ｂが永久磁石５の磁力で鉄板９に吸着されるので、他端部３ｂのケース本体２への固定作業は簡便である。
【００２７】
永久磁石５が吸着する箇所を、鉄板９ａ〜９ｃのように複数設けたほうが、支持体７２の太さに対応させて永久磁石５を吸着させる位置を変えたり、支持体７２とケース本体２との距離を調節したりできるので好ましいが、必要性に応じて、例えば一か所だけに鉄板（例えば鉄板９ａだけ）を設けてもよい。
【００２８】
又、図５に示すように、背面板１１に、永久磁石５よりも大きな鉄板９ｄ、この例では背面板１１のほぼ全面にわたる大きさの鉄板９ｄを付してもよい。このような大きな鉄板９ｄを付すと、重量は重くなるが、永久磁石５を吸着させる位置の自由度を高くすることができる。又、図示しないが、例えば、永久磁石５よりも大きな面を有する鉄板（一例として鉄板９ｄの略半分の大きさ）を、間隔を開けて複数（一例として２枚）、背面板１１に付してもよい。
【００２９】
又、蓋部３を、支持体７２を巻いてケース本体２に他端部３ｂを固定可能なように、例えば硬質の板の複数個所を折り曲げ可能に形成した可曲性を有する板体に換えてもよい。
【００３０】
測定器が、温度センサ一体型の温度計、マイク一体型の騒音計などのように、測定のために付属品を必要としない測定器の場合、ケース本体２が測定器だけを収納するものであってもよい。
【００３１】
又、蓋部３がケース本体２の正面側から天方向側までを開口させる例について示したが、蓋部３がケース本体２の正面側だけを開口させるようにして、開口しないケース本体２の天方向側の開口縁に蓋部３の一端部を繋げる構成にしてもよい。この場合、支持体７２がケース本体２の背面側ではなく、天方向側に位置して、収納ケース１が吊下支持される。蓋部３は可曲性を有しているので、鉄製部材７１に蓋部３を吸着させることができる。
【００３２】
又、スライドファスナー４に換えて、ボタンや面ファスナーを付すことで、ケース本体２から蓋部３を開閉可能にしてもよい。収納ケース１が収容する付属品には、テストリード５２のように測定に必要なものの他に、取扱説明書や予備ヒューズがある。
【符号の説明】
【００３３】
１は測定器用収納ケース、２はケース本体、３は蓋部、３ａは一端部、３ｂは他端部、４はスライドファスナー、４ａはスライダー、５は永久磁石、６は開口部、７はストラップ、９ａ・９ｂ・９ｃ・９ｄは鉄板、１０は仕切板、１１は背面板、５１はデジタルマルチメータ、５２はテストリード、５３は表示部、５４は操作部、７１は鉄製部材、７２は支持体である。
【図１】
0005778929.tif 000002
【図２】
0005778929.tif 000003
【図３】
0005778929.tif 000004
【図４】
0005778929.tif 000005
【図５】
0005778929.tif 000006